(57)【要約】【課題】  十分なマッサージ効果やリラクゼーション効果を得ることができるとともに、外部への水漏れを低減することができる温浴器を提供する。【解決手段】  本発明の温浴器１００は、腕若しくは脚を導入するための導入口を備えた浴槽ユニット１１０と、該浴槽ユニット１１０内に湯を供給する給湯手段とを具備する温浴器であって、少なくとも一つの前記導入口１０２ｂには、腕若しくは脚を挿脱可能に構成され、開口縁から開口内に伸びる複数の可撓性の舌状部１６２ｘを備えた開口閉鎖部１６２を有する開口構造１６０が設けられ、前記開口構造１６０には、前記開口閉鎖部１６２の外側下部に配置された水受枠１６３と、該水受枠１６３内の水を前記開口閉鎖部１６２の内側に戻す水戻通路１６３ｘとが設けられていることを特徴とする。【選択図】図２
2006325743.tif 000002
【特許請求の範囲】
【請求項１】
腕若しくは脚を導入するための導入口を備えた浴槽ユニットと、該浴槽ユニット内に湯を供給する給湯手段とを具備する温浴器であって、
少なくとも一つの前記導入口には、腕若しくは脚を挿脱可能に構成され、開口縁から開口内に伸びる複数の可撓性の舌状部を備えた開口閉鎖部を有する開口構造が設けられ、
前記開口構造には、前記開口閉鎖部の外側下部に配置された水受枠と、該水受枠内の水を前記開口閉鎖部の内側に戻す水戻通路とが設けられていることを特徴とする温浴器。
【請求項２】
腕を導入するための導入口を備えた上部浴槽、及び、脚を導入するための導入口を備えた下部浴槽を有する浴槽ユニットと、前記上部浴槽及び前記下部浴槽にそれぞれ湯を供給する給湯手段とを具備する温浴器であって、
前記腕を導入するための導入口は、前記上部浴槽に形成された斜め上方に向いた傾斜前面部に設けられ、
前記脚を導入するための導入口は、前記下部浴槽に形成された略垂直若しくは前記上部浴槽の傾斜前面部よりも急な傾斜角を有する前面部に設けられ、
前記導入口には、開口縁から開口内に伸びる複数の可撓性の舌状部を備えた開口閉鎖部を有する開口構造が設けられ、
前記脚を導入するための導入口に設けられた開口構造には、前記開口閉鎖部の外側下部に配置された水受枠と、該水受枠内の水を前記開口閉鎖部の内側に戻す水戻通路とが設けられていることを特徴とする温浴器。
【請求項３】
腕若しくは脚を導入するための導入口を備えた浴槽ユニットと、該浴槽ユニット内に湯を供給する給湯手段とを具備する温浴器であって、
前記浴槽ユニットには、上部開口を有する湯溜槽と、前記上部開口に対応する下部開口を有するとともに前記導入口を斜め上方に向いた傾斜前面部に有する被覆槽とが設けられ、
前記湯溜槽の前記上部開口の開口縁が前記被覆槽の前記下部開口の開口縁の外側に嵌合した状態とされ、
前記導入口の下方において、前記上部開口の開口縁の内面と前記下部開口の開口縁の外面とが隙間を介して対向し、しかも、当該隙間から水を前記湯溜槽の内部へ戻す水戻通路が確保されていることを特徴とする温浴器。
【請求項４】
腕を導入するための導入口を備えた上部浴槽、及び、脚を導入するための導入口を備えた下部浴槽を有する浴槽ユニットと、前記上部浴槽及び前記下部浴槽にそれぞれ湯を供給する給湯手段とを具備する温浴器であって、
前記上部浴槽若しくは前記下部浴槽には、上部開口を有する湯溜槽と、前記上部開口に対応する下部開口を有するとともに前記導入口を斜め上方に向いた傾斜前面部に有する被覆槽とが設けられ、前記湯溜槽の前記上部開口の開口縁が前記被覆槽の前記下部開口の開口縁の外側に嵌合した状態とされ、
前記導入口の下方において、前記上部開口の開口縁の内面と前記下部開口の開口縁の外面とが隙間を介して対向し、しかも、当該隙間から水を前記湯溜槽の内部へ戻す水戻通路が確保されていることを特徴とする温浴器。
【請求項５】
腕を導入するための導入口を備えた上部浴槽、及び、脚を導入するための導入口を備えた下部浴槽を有する浴槽ユニットと、前記上部浴槽及び前記下部浴槽にそれぞれ湯を供給する給湯手段とを具備する温浴器であって、
前記上部浴槽及び前記下部浴槽には、上部開口を備えた湯溜槽と、前記上部開口に対応する下部開口を有するとともに前記導入口を斜め上方に向いた傾斜前面部に有する被覆槽とがそれぞれ設けられ、前記湯溜槽の前記上部開口の開口縁が前記被覆槽の前記下部開口の開口縁の外側に嵌合した状態とされ、
前記導入口の下方において、前記上部開口の開口縁の内面と前記下部開口の開口縁の外面とが隙間を介して対向し、当該隙間から水を前記湯溜槽の内部に戻す水戻通路が確保されていることを特徴とする温浴器。
【請求項６】
前記上部開口の開口縁の内面と、前記下部開口の開口縁の外面とが角度を付けて対向し、これによって前記隙間が上方に開くように構成されていることを特徴とする請求項３乃至５のいずれか一項に記載の温浴器。
【請求項７】
前記導入口に対応する筐体開口部を備えた、前記浴槽ユニットを収容する筐体を有し、該筐体開口部には腕若しくは脚を出し入れ自在に構成するとともに前記導入口を隠す前垂れが設けられていることを特徴とする請求項１乃至６のいずれか一項に記載の温浴器。
【発明の詳細な説明】
【技術分野】
【０００１】
本発明は温浴器に係り、特に、エステティックサロン等において美容や健康の増進或いはリラクゼーション効果を図るために温浴療法を施す場合に好適な温浴器の構造に関する。
【背景技術】
【０００２】
一般に、エステティックサロン等の美容サービスを行う店舗や高齢者の介護施設などでは、人間の身体を清浄化するために、各種の温浴器が使用される。このような温浴器には、通常の入浴と同様に身体のほぼ全体を対象として湯内に浸漬させたり温水を吹き付けたりするもの（例えば、以下の特許文献１乃至３参照）と、例えば足部のみというように身体の一部のみを対象として湯に浸漬させたり温水を吹き付けたりするもの（例えば、以下の特許文献４参照）とが知られている。
【特許文献１】特開２００１−５７９９９号公報
【特許文献２】特開２００１−１２９０４５号公報
【特許文献３】特開２００１−３０９９５８号公報
【特許文献４】特開２００４−１３５８９６号公報
【発明の開示】
【発明が解決しようとする課題】
【０００３】
しかしながら、身体のほぼ全体を浴槽内に配置する前述の温浴器では、通常の入浴と同じ態様となるために、気軽にマッサージ効果やリラクゼーション効果を得ることができないという問題点がある。
【０００４】
一方、身体の一部のみを浴槽内に配置する前述の温浴器では、気軽にマッサージ効果やリラクゼーション効果を得ることができる反面、足部のみを対象とするものなど、簡易な構成を有するものが多いため、十分なマッサージ効果やリラクゼーション効果等の付加効果を得ることが難しいという問題点がある。このため、身体の対象部位を大きくして効果を高めることが考えられるが、このようにすると、使用時において浴槽内に入れた対象部位の周囲から水漏れが生じたり、使用後において身体の対象部位を温浴器の外部に引き出す際に身体に付着した水が温浴器の外部に漏れて周囲が濡れてしまったりするという問題点が想定される。このような水漏れを低減するには、浴槽の上部から対象部位を導入することが考えられるが、これではリラックスした姿勢で温浴を行うことができず、リラクゼーション効果を阻害することになるものと考えられる。
【０００５】
さらに、従来の温浴器では、外部に浴槽が直接露出していることから雰囲気に欠ける結果となり、リラクゼーション効果乃至は癒し効果を高めることができないという問題点がある。
【０００６】
そこで、本発明は上記問題点を解決するものであり、その課題は、十分なマッサージ効果やリラクゼーション効果を得ることができるとともに、外部への水漏れを低減することができる温浴器を提供することにある。
【課題を解決するための手段】
【０００７】
斯かる実情に鑑み、第１発明の温浴器は、腕若しくは脚を導入するための導入口を備えた浴槽ユニットと、該浴槽ユニット内に湯を供給する給湯手段とを具備する温浴器であって、少なくとも一つの前記導入口には、腕若しくは脚を挿脱可能に構成され、開口縁から開口内に伸びる複数の可撓性の舌状部を備えた開口閉鎖部を有する開口構造が設けられ、前記開口構造には、前記開口閉鎖部の外側下部に配置された水受枠と、該水受枠内の水を前記開口閉鎖部の内側に戻す水戻通路とが設けられていることを特徴とする。
【０００８】
この発明によれば、腕若しくは脚を導入するための導入口を備えた浴槽ユニットを設けることで、気楽に温浴を行うことができるとともに温浴の対象部位をある程度大きくして温浴効果を高めることができる。また、導入口には開口縁から開口内に伸びる複数の可撓性の舌状部を備えた開口閉鎖部が設けられているので、腕や脚の周囲の隙間を複数の舌状部によって閉鎖することができるため、使用時における水漏れを防止でき、また、開口部の外側下部に配置された水受枠と、この水受枠内の水を開口閉鎖部の内側に戻す水戻通路が設けられていることにより、使用後に腕や脚を抜き出す際の水漏れも低減できる。さらに、この水漏れを防止する構成を有することにより導入口が浴槽ユニットの側面に設けられていてもよいので、開口閉鎖部を通して腕や脚の多くの部分を導入しても無理な姿勢をとる必要がなく、リラックスした状態で温浴を行うことができる。
【０００９】
また、第１発明の具体的な温浴器は、腕を導入するための導入口を備えた上部浴槽、及び、脚を導入するための導入口を備えた下部浴槽を有する浴槽ユニットと、前記上部浴槽及び前記下部浴槽にそれぞれ湯を供給する給湯手段とを具備する温浴器であって、前記腕を導入するための導入口は、前記上部浴槽に形成された斜め上方に向いた傾斜前面部に設けられ、前記脚を導入するための導入口は、前記下部浴槽に形成された略垂直若しくは前記上部浴槽の傾斜前面部よりも急な傾斜角を有する前面部に設けられ、前記導入口には、開口縁から開口内に伸びる複数の可撓性の舌状部を備えた開口閉鎖部を有する開口構造が設けられ、前記脚を導入するための導入口に設けられた開口構造には、前記開口閉鎖部の外側下部に配置された水受枠と、該水受枠にて受けた水を前記開口閉鎖部の内側に戻す水戻通路とが設けられていることを特徴とする。
【００１０】
この発明によれば、上記の効果に加えて、腕と脚の温浴を同時に行うことができるため、温浴効果をさらに高めることができるとともに、腕を導入するための導入口が斜め上方を向いた傾斜前面部に設けられ、脚を導入するための導入口が略垂直の前面部或いは上記の傾斜前面部より急な傾斜角を有する前面部に設けられているので、温浴器にややもたれ掛かるリラックスした姿勢で腕と脚の温浴を同時に行うことができる。また、略垂直若しくは腕を導入するための導入口を設けた傾斜前面部よりも急な傾斜角を備えた前面部に設けられた脚を導入するための導入口は水漏れの危険性が大きくなるが、当該導入口に上記と同様の舌状部を備えた開口閉鎖部、水受枠、及び、水戻通路を有する開口構造が設けることで、水漏れを確実に防止することができる。
【００１１】
さらに、第２発明の温浴器は、腕若しくは脚を導入するための導入口を備えた浴槽ユニットと、該浴槽ユニット内に湯を供給する給湯手段とを具備する温浴器であって、前記浴槽ユニットには、上部開口を有する湯溜槽と、前記上部開口に対応する下部開口を有するとともに、前記導入口を斜め上方に向いた傾斜前面部に有する被覆槽とが設けられ、前記湯溜槽の前記上部開口の開口縁が前記被覆槽の前記下部開口の開口縁の外側に嵌合した状態とされ、前記導入口の下方において、前記上部開口の開口縁の内面と前記下部開口の開口縁の外面とが隙間を介して対向し、しかも、当該隙間から水を前記湯溜槽の内部へ戻す水戻通路が確保されていることを特徴とする。
【００１２】
この発明によれば、浴槽ユニットにおいて、上部開口を備えた湯溜槽と、上部開口に対向する下部開口を有するとともに、導入口を斜め上方に向いた傾斜前面部に有する被覆槽とが設けられ、湯溜槽の上部開口の開口縁が被覆槽の下部開口の開口縁の外側に嵌合した状態とされていることにより、湯溜槽と被覆槽とによって浴槽の内部空間をほぼ密閉することができるため、無理な姿勢をとる必要なく腕や脚の温浴が可能になるとともに、被覆槽の下部開口の開口縁が湯溜槽の上部開口の開口縁の内側に嵌合した状態とされるため、被覆槽の下部開口から外部へ水漏れが生ずることを防止できる。さらに、導入口の下方において湯溜槽の上部開口の開口縁と被覆槽の下部開口の開口縁とが隙間を介して対向し、その隙間から水を湯溜槽の内部へ戻す水戻通路が確保されていることにより、導入口から漏れた水が傾斜開口部上を滑り落ちても、水受枠で受けることができ、水受枠で受けた水は水戻通路を経て湯溜槽の内部へと戻るため、水漏れをさらに低減できる。
【００１３】
また、第２発明の具体的な温浴器は、腕を導入するための導入口を備えた上部浴槽、及び、脚を導入するための導入口を備えた下部浴槽を有する浴槽ユニットと、前記上部浴槽及び前記下部浴槽にそれぞれ湯を供給する給湯手段とを具備する温浴器であって、前記上部浴槽若しくは前記下部浴槽には、上部開口を有する湯溜槽と、前記上部開口に対応する下部開口を有するとともに前記導入口を斜め上方に向いた傾斜前面部に有する被覆槽とが設けられ、前記湯溜槽の前記上部開口の開口縁が前記被覆槽の前記下部開口の開口縁の外側に嵌合した状態とされ、前記導入口の下方において、前記上部開口の開口縁の内面と前記下部開口の開口縁の外面とが隙間を介して対向し、しかも、当該隙間から水を前記湯溜槽の内部へ戻す水戻通路が確保されていることを特徴とする。
【００１４】
さらに、第２発明のより具体的な温浴器は、腕を導入するための導入口を備えた上部浴槽、及び、脚を導入するための導入口を備えた下部浴槽を有する浴槽ユニットと、前記上部浴槽及び前記下部浴槽にそれぞれ湯を供給する給湯手段とを具備する温浴器であって、前記上部浴槽及び前記下部浴槽には、上部開口を備えた湯溜槽と、前記上部開口に対応する下部開口を有するとともに前記導入口を斜め上方に向いた傾斜前面部に有する被覆槽とがそれぞれ設けられ、前記湯溜槽の前記上部開口の開口縁が前記被覆槽の前記下部開口の開口縁の外側に嵌合した状態とされ、前記導入口の下方において、前記上部開口の開口縁の内面と前記下部開口の開口縁の外面とが隙間を介して対向し、当該隙間から水を前記湯溜槽の内部に戻す水戻通路が確保されていることを特徴とする。
【００１５】
上記第２発明において、前記上部開口の開口縁の内面と、前記下部開口の開口縁の外面とが角度を付けて対向し、これによって前記隙間が上方に開くように構成されていることが好ましい。これによれば、上部開口の開口縁の内面と下部開口の開口縁の外面とが角度を付けて対向することで、両者間の隙間が上方に開くように構成されていることにより、被覆槽の傾斜外面部に沿って落下する水をより確実に隙間に導き、確実に受け止めることができるため、水漏れをさらに低減できる。
【００１６】
上記第１発明又は第２発明において、前記導入口に対応する筐体開口部を備えた、前記浴槽ユニットを収容する筐体を有し、該筐体開口部には腕若しくは脚を出し入れ自在に構成するとともに前記導入口を隠す前垂れが設けられていることが好ましい。これによれば、浴槽ユニットが筐体によって覆われるとともに、浴槽ユニットの導入口を筐体開口部に設けられた前垂れが隠すため、浴槽ユニットが外部に露出しないように構成できるため、筐体のデザインを適宜に行うことにより、雰囲気を壊すことなく温浴を受けることが可能になることから、リラクゼーション効果を高めることができる。
【発明を実施するための最良の形態】
【００１７】
以下、本発明の実施の形態を図示例と共に説明する。図１は本発明に係る実施形態の温浴器の外観を示す概略斜視図、図２は、本実施形態の温浴器の筐体の前面カバーを上方へ折りたたんで浴槽ユニットの一部を露出させた状態を示す概略斜視図である。
【００１８】
本実施形態の温浴器１００は、図１に示すように、筐体１０１の上部に頭部パッド１０２Ａが屈折可能な態様で取り付けられ、前面側に垂れ下がるように配置されるとともに、筐体１０１の左右側面にそれぞれ外装板１０２Ｂが取り付け固定される。筐体１０１の前面には上部前面板１０４及び中部前面板１０５が開閉自在に取り付けられ、中部前面板１０５の下方には下部前面板１０３が取り付けられている。
【００１９】
上部前面板１０４は斜め上方を向くように傾斜し、その板面には左右一対の筐体開口１０４ａが設けられている。これらの筐体開口１０４ａは複数の帯状の前垂れ１０４ｂによって閉鎖されている。一対の筐体開口１０４ａの間の上部前面板１０４上には上記頭部パッド１０２Ａが筐体上面から伸びるように配置されている。また、中部前面板１０５はほぼ垂直に設定され、その板面には、左右一対の筐体開口１０５ａが設けられている。これらの筐体開口１０５ａは複数の帯状の前垂れ１０５ｂによって閉鎖されている。
【００２０】
上部前面板１０４及び中部前面板１０５は、図２に示すように、折りたたんだ状態で筐体１０１の上面上に引き上げることができるように構成され、これによって筐体１０１の前面が広く開口するように構成されている。筐体１０１の内部には浴槽ユニット１１０が収容されている。この浴槽ユニット１１０は、下部浴槽１１０Ａと上部浴槽１１０Ｂとを有し、これらはそれぞれ湯溜槽１１１，１１３と、被覆槽１１２，１１４とが嵌合することによって構成されている。
【００２１】
下部浴槽１１０Ａの被覆槽１１２の前面には一対の導入口１１２ｂが設けられ、これらの導入口１１２ｂは上記一対の筐体開口１０５ａに対応する位置に形成され、これによって、図１に示すように上部前面板１０４及び中部前面板１０５を閉鎖したとき、筐体開口１０５ａから脚を導入することにより導入口１１２ｂを通して下部浴槽１１０Ａの内部に脚を挿入することができるように構成されている。また、上部浴槽１１０Ｂの被覆槽１１４の前面には一対の導入口１１４ｂが設けられ、これらの導入口１１４ｂは上記一対の筐体開口１０４ａに対応する位置に形成され、これによって、図１に示す状態で、筐体開口１０４ａから腕を導入することにより導入口１１４ａを通して上部浴槽１１０Ｂの内部に腕を挿入することができるように構成されている。
【００２２】
上記の導入口１１２ａ，１１４ａには開口部材１５０，１６０が取り付けられ、この開口部材１５０，１６０には、その開口縁から開口内に伸びる可撓性の複数の舌状部１５２ｘ，１６２ｘが設けられている。具体的には、導入口１１２ａ，１１４ａの開口縁から開口の中央に向けて伸びる複数の舌状部１５２ｘ，１６２ｘによって導入口１１２ａ，１１４ａがほぼ閉鎖された状態となっている。また、開口部材１５０，１６０の下部には、水受枠１６３がそれぞれ設けられている。
【００２３】
上部浴槽１１０Ｂの被覆槽１１４の前面は、斜め上方に向いた傾斜前面部１１４ｘとなっている。また、下部浴槽１１０Ａの被覆槽１１２の前面は、上記傾斜前面部１１４ｘよりも急な傾斜角を有する傾斜前面部１１２ｘとなっている。なお、この傾斜前面部１１２ｘは垂直面として構成されていても構わない。
【００２４】
図３は、温浴器１００内に配備された構成要素を模式的に示す概略構成図である。浴槽ユニット１１０の下部には配管１２１が接続され、この配管１２１は殺菌ユニット１２２に接続されている。殺菌ユニット１２２の内部には紫外線殺菌灯１２３が配置され、この紫外線殺菌灯１２３による紫外線照射によって配管１２１に接続された透光管１２４内の排水が殺菌されるように構成されている。この透光管１２４は配管１２５に接続され、この配管１２５は排水ポンプ１２６に接続されている。排水ポンプ１２６は排水を配管１２７へ送り出し、配管１２７は電磁弁等で構成される開閉弁１２８に接続されている。開閉弁１２８は、配管１２７と配管１２９との間を開閉するものである。また、配管１２７に接続された配管１４５は開閉弁１４６を介して排出コネクタ１４７ｘを有する排出管１４７に接続されている。排出管１４７は温浴器１００から外部へ排水を行う場合に用いられる。
【００２５】
配管１２９は開閉弁１３１に接続されているとともに配管１３２に接続されている。この開閉弁１３１は、給水管１４８に接続され、給水管１４８と配管１３２との間を開閉するように構成されている。給水管１４８は給水コネクタ１４８ｘを有し、外部から温浴器１００に給水を行う場合に用いられる。配管１３２は殺菌ユニット１２２の透光管１３３に接続され、この透光管１３３内を通過する水が上記と同様に殺菌されるようになっている。
【００２６】
透光管１３３は配管１３４に接続され、配管１３４は加熱ユニット１３５に接続されている。加熱ユニット１３５内には上記配管１３４に接続された蛇行状の熱交換部１３６が設けられ、この熱交換部１３６内の水が図示しないヒータにより加熱されることにより、熱交換部１３６に接続された配管１３７に所定温度の湯が導出されるように構成されている。配管１３７は分配弁１３８に接続され、この分配弁１３８は、配管１３７に供給される湯を配管１３９及び配管１４１に供給するようになっている。配管１３９は上記浴槽ユニット１１０内に導入された噴出管１４２，１４３，１４４に接続され、噴出管１４２，１４３，１４４に設けられた細孔から湯が浴槽ユニット１１０内に噴出するように構成されている。ここで、図４及び図５に示すように、噴出管１４２は上部浴槽１１０Ｂの被覆槽１１４に装着され、噴出管１４３，１４４は下部浴槽１１０Ａの被覆槽１１２に装着されている。また、配管１４１は下部浴槽１１０Ａの湯溜槽１１１内に湯を供給するように構成されている。
【００２７】
図４及び図５は浴槽ユニット１１０の前面一部断面図及び側面図である。下部浴槽１１０Ａにおいて、湯溜槽１１１は上部開口１１１ａを有し、被覆槽１１２は上部開口１１１ａに対応する下部開口１１２ａを備えている。そして、上部開口１１１ａの開口縁１１１ｅが下部開口１１２ａの開口縁１１２ｅの外側に嵌合することによって下部浴槽１１０Ａが構成される。ここで、図５に示すように、被覆槽１１２の傾斜前面部１１２ｘ或いはここに形成された導入口１１２ｂの下方にある領域においては、開口縁１１１ｅの内面と開口縁１１２ｅの外面とは隙間Ｇを介して対向している。具体的には、開口縁１１１ｅと１１２ｅとの間には傾斜角が付けられ、この傾斜角によって隙間Ｇが上方に開くように構成されている。そして、この領域では、開口縁１１２ｅと湯溜槽１１１の内面との間にも間隙（図示せず）が確保され、これによって、開口縁１１１ｅと１１２ｅの間に入った水が湯溜槽１１１の内部に戻るように構成されている。なお、図示例のように、隙間Ｇ及び間隙は傾斜前面部１１２ｘの下方の領域のみではなく、全周に設けられていることが望ましい。
【００２８】
また、上部浴槽１１０Ｂにおいても、湯溜槽１１３は上部開口１１３ａを有し、被覆槽１１４は上部開口１１３ａに対応する下部開口１１４ａを備えている。そして、上部開口１１３ａの開口縁１１３ｅが下部開口１１４ａの開口縁１１４ｅの外側に嵌合することによって上部浴槽１１０Ｂが構成される。ここで、被覆槽１１４の傾斜前面部１１４ｘ或いはここに形成された導入口１１４ｂの下方にある領域においては、開口縁１１３ｅの内面と開口縁１１４ｅの外面とは隙間Ｇを介して対向している。具体的には、開口縁１１３ｅと１１４ｅとの間には傾斜角が付けられ、この傾斜角によって隙間Ｇが上方に開くように構成されている。そして、この領域では、開口縁１１４ｅと湯溜槽１１３の内面との間にも間隙（図示せず）が確保され、これによって、開口縁１１３ｅと１１４ｅの間に入った水が湯溜槽１１３の内部に戻るように構成されている。なお、図示例のように、隙間Ｇ及び間隙は傾斜前面部１１４ｘの下方の領域のみではなく、全周に設けられていることが望ましい。
【００２９】
湯溜槽１１３の底部には複数の突部１１３ｄが設けられ、この突部１１３ｄには排水口１１３ｙが形成されている。突部１１３ｄは被覆槽１１２の上部に形成された開口１１２ｆに嵌合している。これによって、上部浴槽１１０Ｂの底部に溜まった湯は排水口１１３ｙから下部浴槽１１０Ａの内部へ排出されるようになっている。
【００３０】
図６（ａ）は上部浴槽１１０Ｂに形成された導入口１１４ｂに嵌合固定される開口部材１５０の平面図（外面図）、図６（ｂ）は開口部材１５０の縦断面図である。開口部材１５０は合成ゴム等の軟質合成樹脂で一体に構成されたものであり、肉厚に構成された外周枠部１５１と、この外周枠部１５１の内側に薄肉に形成された開口閉鎖部１５２とが設けられている。外周枠部１５１の外周面には一体の嵌合溝１５１ａが形成され、この嵌合溝１５１ａが上記導入口１１４ｂの開口縁に嵌合して固定されるように構成されている。開口閉鎖部１５２には、開口縁から開口中心へ向けて伸びる複数の舌状部１５２ｘが形成され、これらの複数の舌状部１５２ｘは、開口閉鎖部１５２の中央部に設けられた中央開口１５２ａと、開口閉鎖部１５２の周縁部に設けられた基部細孔１５２ｂと、中央開口１５２ａと基部細孔１５２ｂとを結ぶスリット１５２ｃとによって構成されている。
【００３１】
図７（ａ）は下部浴槽１１０Ａに形成された導入口１１２ｂに嵌合固定される開口部材１６０の平面図（外面図）、図７（ｂ）は開口部材１６０の縦断面図である。開口部材１６０は合成ゴム等の軟質合成樹脂で一体に構成されたものであり、肉厚に構成された外周枠部１６１と、この外周枠部１６１の内側に薄肉に形成された開口閉鎖部１６２と、下部外側に張り出すように形成された水受枠１６３とが設けられている。外周枠部１６１の外周面には一体の嵌合溝１６１ａが形成され、この嵌合溝１６１ａが上記導入口１１４ｂの開口縁に嵌合して固定されるように構成されている。また、開口閉鎖部１６２には、開口縁から開口中心へ向けて伸びる複数の舌状部１６２ｘが形成され、これらの複数の舌状部１６２ｘは、開口閉鎖部１６２の中央部に設けられた中央開口１６２ａと、開口閉鎖部１６２の周縁部に設けられた基部細孔１６２ｂと、中央開口１６２ａと基部細孔１６２ｂとを結ぶスリット１６２ｃとによって構成されている。
【００３２】
開口部材１６０に設けられた水受枠１６３は外周枠部１６１に接続され、開口閉鎖部１６２の下方全体に亘り配置され、これによって開口閉鎖部１６２を通して外部に漏れた水をすべて受けることができるように構成されている。また、水受枠１６３の基部において、水受枠１６３の内部と開口閉鎖部１６２の内側とを連通させる水戻通路１６３ｘが形成されている。これによって、水受枠１６３で受けた水は水戻通路１６３ｘによって浴槽内に戻るように構成されている。
【００３３】
開口部材１６０の開口閉鎖部１６２は、図７（ｂ）に示すように、外周枠部１６１の内側に構成される開口面に対して斜め上方に向かうように傾斜している。すなわち、図示上方に形成された舌状部１６２ｘは開口縁の内側から開口中心に向けて斜め外側下方へ伸びるように形成され、図示下方に形成された舌状部１６２ｘは、開口縁の外側から開口中心に向けて斜め内側上方へ伸びるように形成されている。
これによって、下部浴槽１１０Ａの前面がほぼ垂直に構成され、或いは、傾斜前面部１１２ｘが急な傾斜角で形成されていても、開口閉鎖部１６２の傾斜角は下部浴槽１１０Ａの前面若しくは傾斜前面部１１２ｘより緩やかになるため、使用中に下部浴槽１１０Ａ内から湯が外部に漏れにくくなり、また、脚を開口部材１６０から引き抜く際にも脚に付着した水が浴槽内に戻りやすくなるため、全体として水漏れを低減できる。
【００３４】
以上説明した本実施形態では、図３に示す給水コネクタ１４８ｘから水を供給し、給水管１４８から開閉弁１３１を経て配管１３２、殺菌ユニット１２２、配管１３４、加熱ユニット１３５、配管１３７及び分配弁１３８を通して湯を浴槽ユニット１１０に供給する。一定量の水が供給されると、排水ポンプ１２６を稼動させて、浴槽ユニット１１０から殺菌ユニット１２２、配管１２５、排水ポンプ１２６、配管１２７、開閉弁１２８、配管１２９を介して湯が循環するようになる。この場合でも、給水コネクタ１４８ｘ及び給水管１４８を介して上記循環経路に適宜に水を追加供給することができ、また、開閉弁１４６を介して排水管１４７及び排水コネクタ１４７ｘから適宜に水を排水することができる。
【００３５】
本実施形態では、腕や脚を浴槽ユニット１１０内に挿入することで、腕や脚の広い範囲を湯や薬液に浸漬させたり、腕や脚の広い範囲に湯や薬液を吹き付けたりすることができるため、マッサージ効果やリラクゼーション効果を高めることができる。しかも、本実施形態では、温浴器１００の前面側に椅子などに座った無理のない姿勢で気軽かつ容易に温浴を行うことができるので、リラクゼーション効果を妨げることもない。
【００３６】
本実施形態では、浴槽ユニット１１０の上部に上部浴槽１１０Ｂが配置され、浴槽ユニット１１０の下部に下部浴槽１１０Ａが配置されているので、腕と脚の温浴を同時に行うことができる。特に、上部浴槽１１０Ｂの前面は傾斜前面部１１４ｘとなっているので、温浴器１００の上部前面板１０４にもたれかかった自然な姿勢で温浴を行うことができる。なお、このとき、頭部パッド１０２Ａ上に顔を置くことで、さらにリラックスした状態で温浴を行うことができる。
【００３７】
本実施形態では、導入口１１２ｂ，１１４ｂに開口部材１５０，１６０が装着され、開口部材１５０，１６０には、可撓性を有する複数の舌状部１５２ｘ、１６２ｘを備えた開口閉鎖部１５２，１６２が設けられているので、使用中における腕や脚の周囲の水漏れを低減することができ、また、腕や脚を導入口１１２ｂ、１１４ｂから引き出す際の水漏れも低減できる。
【００３８】
特に、開口部材１６０の下部には水受枠１６３が形成され、この水受枠１６３内の水を内側へ戻す水戻通路１６３ｘが設けられていることにより、開口部材１６０の外側へ漏れた水を水受枠１６３で受けて水戻通路１６３ｘによって槽内に戻すことができるため、さらに水漏れを低減することができる。また、上述のように開口閉鎖部１６２は開口部材１６０が装着された浴槽の前面部よりも緩い傾斜角となるように構成されているため、浴槽の上記前面部が垂直若しくは急傾斜となっていても、使用中及び使用後の水漏れを充分に低減することが可能である。
【００３９】
本実施形態では、下部浴槽１１０Ａ及び上部浴槽１１０Ｂは、湯溜槽１１１，１１３の上部開口１１１ａ，１１３ａの開口縁１１１ｅ，１１３ｅの内側に被覆槽１１２，１１４の下部開口１１２ａ，１１４ａの開口縁１１２ｅ，１１４ｅが嵌合される構造とされているため、湯溜槽１１１，１１３と被覆槽１１２，１１４との間から水漏れが生ずることを防止できる。また、導入口１１２ｂ，１１４ｂから漏れた水を上記隙間Ｇで受け、上記水戻通路で槽内に戻すことができるため、さらに水漏れを低減できる。
【００４０】
さらに、本実施形態では、浴槽ユニット１１０が筐体１０１に収容されているため、浴槽ユニット１１０が直接外部に露出することがなくなり、温浴器１００の外観を自由にデザインすることが可能になるので、雰囲気を壊すことなく、良好なリラクゼーション効果を与えることが可能になる。
【００４１】
尚、本発明の温浴器は、上述の図示例にのみ限定されるものではなく、本発明の要旨を逸脱しない範囲内において種々変更を加え得ることは勿論である。
【図面の簡単な説明】
【００４２】
【図１】実施形態の概略斜視図。
【図２】実施形態の筐体前面を開口させた状態を示す概略斜視図。
【図３】実施形態の全体構成を示す概略構成図。
【図４】実施形態の浴槽ユニットの一部断面正面図。
【図５】実施形態の浴槽ユニットの側面図。
【図６】実施形態の開口部材１５０の正面図（ａ）及び縦断面図（ｂ）。
【図７】実施形態の開口部材１６０の正面図（ａ）及び縦断面図（ｂ）。
【符号の説明】
【００４３】
１００…温浴器、１０１…筐体、１０４ａ，１０５ａ…筐体開口部、１１０…浴槽ユニット、１１０Ａ…下部浴槽、１１０Ｂ…上部浴槽、１１１，１１３…湯溜槽、１１２，１１４…被覆槽、１１１ａ，１１３ａ…上部開口、１１２ａ，１１４ａ…下部開口、１１２ｂ、１１４ｂ…導入口、１１１ｅ，１１２ｅ，１１３ｅ，１１４ｅ…開口縁、１５０，１６０…開口部材、１５１，１６１…外周枠部、１５２，１６２…開口閉鎖部、１５２ｘ、１６２ｘ…舌状部、１６３…水受枠、１６３ｘ…水戻通路
【図１】
2006325743.tif 000003
【図２】
2006325743.tif 000004
【図３】
2006325743.tif 000005
【図４】
2006325743.tif 000006
【図５】
2006325743.tif 000007
【図６】
2006325743.tif 000008
【図７】
2006325743.tif 000009